(57)【要約】【課題】本発明の目的は、付与された外力により、効率良く発電を行い得る発電装置を提供することにある。【解決手段】発電装置１は、磁歪材料で構成され、併設された２つの磁歪棒２、２と、各磁歪棒２の外周に巻回されたコイル３と、２つの磁歪棒２、２に応力を付与する機能を有する梁部材７３とを有し、２つの磁歪棒２、２および梁部材７３の先端を基端に対して変位させて磁歪棒２、２および梁部材７３が変形したとき、梁部材７３に蓄積される弾性エネルギーが、磁歪棒２、２に蓄積される弾性エネルギーよりも大きくなるように構成されている。【選択図】図２
2015226346.tif 000002
【特許請求の範囲】
【請求項１】
磁歪材料で構成され、軸方向に磁力線を通過させる少なくとも１つの磁歪棒と、該少なくとも１つの磁歪棒と対向し、前記磁歪棒に応力を付与する機能を有する梁部材とを備え、一端が他端に対して変位可能な梁と、
前記磁力線が軸方向に通過するように配置され、その密度の変化に基づいて電圧が発生するコイルとを有し、
前記梁を変位させて前記磁歪棒および前記梁部材が変形したとき、前記梁部材に蓄積される弾性エネルギーが、前記磁歪棒に蓄積される弾性エネルギーよりも大きくなるように構成されていることを特徴とする発電装置。
【請求項２】
前記磁歪棒および前記梁部材は、それぞれ、短手方向の断面形状がほぼ一定であり、
前記梁部材を構成する材料のヤング率をＥｈ［Ｎ／ｍ２］、前記梁部材の短手方向の断面における断面２次モーメントをＩｈ［ｍ４］とし、前記磁歪材料のヤング率をＥｊ［Ｎ／ｍ２］、前記磁歪棒の短手方向の断面における断面２次モーメントをＩｊ［ｍ４］としたとき、Ｅｈ×Ｉｈ＞Ｅｊ×Ｉｊの関係を満足する請求項１に記載の発電装置。
【請求項３】
前記梁部材の短手方向の断面積をＡｈ［ｍ２］、前記磁歪棒の短手方向の断面積をＡｊ［ｍ２］としたとき、前記磁歪棒および前記梁部材は、Ｅｈ×Ａｈ＞Ｅｊ×Ａｊの関係を満足する請求項２に記載の発電装置。
【請求項４】
前記梁部材の構成材料の損失係数が、前記磁歪材料の損失係数よりも小さい請求項１ないし３のいずれかに記載の発電装置。
【請求項５】
前記梁部材の構成材料の損失係数をη１、前記磁歪材料の損失係数をη２としたとき、η１／η２の値が、０．３以下である請求項１ないし４のいずれかに記載の発電装置。
【請求項６】
側面視において、前記磁歪棒と前記梁部材とが重ならないよう配置されている請求項１ないし５のいずれかに記載の発電装置。
【請求項７】
側面視において、前記磁歪棒と前記梁部材との間隔が、前記梁の前記他端よりも前記一端において小さくなっている請求項１ないし６のいずれかに記載の発電装置。
【請求項８】
前記少なくとも１つの磁歪棒は、併設された２つ以上の前記磁歪棒を有し、
平面視において、各前記磁歪棒と前記梁部材とが重ならないよう配置されている請求項１ないし７のいずれかに記載の発電装置。
【請求項９】
平面視において、前記梁部材は、前記磁歪棒同士の間に配置されている請求項８に記載の発電装置。
【請求項１０】
前記コイルは、各前記磁歪棒の外周に巻回されており、
平面視において、各前記コイルと前記梁部材とが重ならないよう配置されている請求項８または９に記載の発電装置。
【発明の詳細な説明】
【技術分野】
【０００１】
本発明は、発電装置に関する。
【背景技術】
【０００２】
近年、磁歪材料で構成された磁歪棒の透磁率の変化を利用して発電する発電装置が検討されている（例えば、特許文献１参照）。
【０００３】
この発電装置は、例えば、併設された一対の磁歪棒と、これらの磁歪棒の両端部を連結する２つの連結ヨークと、各磁歪棒の外周側を囲むように設けられたコイルと、一対の磁歪棒に併設された長尺状のバックヨークと、各連結ヨークとバックヨークとの間に配設され、磁歪棒にバイアス磁界を印加する２つの永久磁石とを備えている。このバックヨークは、連結ヨークに対して永久磁石を介して固定されている。これにより、磁歪棒、連結ヨーク、永久磁石およびバックヨークを通過する磁界ループが形成される。
【０００４】
そして、一方の連結ヨークを固定した状態で、他方の連結ヨークに対して、磁歪棒の軸方向に対して垂直な方向に外力を付与すると、一方の磁歪棒が伸長するように変形し、他方の磁歪棒が収縮するように変形する。この変形に伴い、各磁歪棒には弾性エネルギーが蓄積される。そして、他方の連結ヨークに付与された外力が取り除かれると、各磁歪棒に蓄積された弾性エネルギーが運動エネルギーに変換されて、他方の連結ヨークを振動させる。かかる発電装置では、他方の連結ヨークが振動して、各磁歪棒が変形する際に、磁歪棒に生じる応力（伸長応力または収縮応力）により、各磁歪棒を通過する磁力線の密度（磁束密度）、すなわち、各コイルを貫く磁力線の密度が変化し、これにより、各コイルに電圧が発生する。
【０００５】
かかる発電装置では、一対の磁歪棒が対向する梁を構成している。このような発電装置において、その発電効率を向上させるためには、各磁歪棒が、他方の磁歪棒から付与された応力により、十分に伸長または収縮方向に変形し、かつ、他方の磁歪棒に対して十分に大きな応力を付与する機能を有している必要がある。しかしながら、磁歪棒に、これらの条件を満足させることは困難であり、結果として、発電装置の発電効率を十分に高くすることができなかった。
【先行技術文献】
【特許文献】
【０００６】
【特許文献１】ＷＯ２０１１／１５８４７３
【発明の概要】
【発明が解決しようとする課題】
【０００７】
本発明は、上記従来の問題点を鑑みたものであり、その目的は、付与された外力により、効率良く発電を行い得る発電装置を提供することにある。
【課題を解決するための手段】
【０００８】
このような目的は以下の（１）〜（１０）の本発明により達成される。
（１）  磁歪材料で構成され、軸方向に磁力線を通過させる少なくとも１つの磁歪棒と、該少なくとも１つの磁歪棒と対向し、前記磁歪棒に応力を付与する機能を有する梁部材とを備え、一端が他端に対して変位可能な梁と、
前記磁力線が軸方向に通過するように配置され、その密度の変化に基づいて電圧が発生するコイルとを有し、
前記梁を変位させて前記磁歪棒および前記梁部材が変形したとき、前記梁部材に蓄積される弾性エネルギーが、前記磁歪棒に蓄積される弾性エネルギーよりも大きくなるように構成されていることを特徴とする発電装置。
【０００９】
（２）  前記磁歪棒および前記梁部材は、それぞれ、短手方向の断面形状がほぼ一定であり、
前記梁部材を構成する材料のヤング率をＥｈ［Ｎ／ｍ２］、前記梁部材の短手方向の断面における断面２次モーメントをＩｈ［ｍ４］とし、前記磁歪材料のヤング率をＥｊ［Ｎ／ｍ２］、前記磁歪棒の短手方向の断面における断面２次モーメントをＩｊ［ｍ４］としたとき、Ｅｈ×Ｉｈ＞Ｅｊ×Ｉｊの関係を満足する上記（１）に記載の発電装置。
【００１０】
（３）  前記梁部材の短手方向の断面積をＡｈ［ｍ２］、前記磁歪棒の短手方向の断面積をＡｊ［ｍ２］としたとき、前記磁歪棒および前記梁部材は、Ｅｈ×Ａｈ＞Ｅｊ×Ａｊの関係を満足する上記（２）に記載の発電装置。
【００１１】
（４）  前記梁部材の構成材料の損失係数が、前記磁歪材料の損失係数よりも小さい上記（１）ないし（３）のいずれかに記載の発電装置。
【００１２】
（５）  前記梁部材の構成材料の損失係数をη１、前記磁歪材料の損失係数をη２としたとき、η１／η２の値が、０．３以下である上記（１）ないし（４）のいずれかに記載の発電装置。
【００１３】
（６）  側面視において、前記磁歪棒と前記梁部材とが重ならないよう配置されている上記（１）ないし（５）のいずれかに記載の発電装置。
【００１４】
（７）  側面視において、前記磁歪棒と前記梁部材との間隔が、前記梁の前記他端よりも前記一端において小さくなっている上記（１）ないし（６）のいずれかに記載の発電装置。
【００１５】
（８）  前記少なくとも１つの磁歪棒は、併設された２つ以上の前記磁歪棒を有し、
平面視において、各前記磁歪棒と前記梁部材とが重ならないよう配置されている上記（１）ないし（７）のいずれかに記載の発電装置。
【００１６】
（９）  平面視において、前記梁部材は、前記磁歪棒同士の間に配置されている上記（８）に記載の発電装置。
【００１７】
（１０）  前記コイルは、各前記磁歪棒の外周に巻回されており、
平面視において、各前記コイルと前記梁部材とが重ならないよう配置されている上記（８）または（９）に記載の発電装置。
【発明の効果】
【００１８】
本発明によれば、梁に外力を付与し、その一端を他端に対して変位させて磁歪棒および梁部材を曲げ変形させたときに、梁部材に蓄積される弾性エネルギーが、磁歪棒に蓄積される弾性エネルギーよりも大きくなる。この状態から、梁に付与された外力を取り除くと、磁歪棒および梁部材に蓄積された弾性エネルギーが、梁（発電装置）の一端を振動させるための運動エネルギーに変換される。本発明の発電装置では、外力の付与により、梁部材に蓄積される曲げ変形による弾性エネルギーが大きいため、梁の一端を振動させるための運動エネルギーも大きくすることができる。さらに、この梁の一端の振動によって、運動エネルギーが磁歪棒の変形（伸長または収縮する方向への変形）に効率良く消費されることにより、発電装置の発電効率を向上させることができる。
【図面の簡単な説明】
【００１９】
【図１】本発明の発電装置の第１実施形態を示す斜視図である。
【図２】図１に示す発電装置の分解斜視図である。
【図３】図３（ａ）は、図１に示す発電装置の側面図であり、図３（ｂ）は、図３（ａ）に示す発電装置からコイルを取り除いた状態を示す図である。
【図４】図１に示す発電装置の平面図である。
【図５】図１に示す発電装置の正面図である。
【図６】図１に示す発電装置を筐体に取り付けた状態を説明するための側面図である。
【図７】基端が筐体に固定され、先端が可動部（質量部）に固定された一対の平行な梁（梁部材および磁歪棒）を有する構造体について、可動部の振動によって各部材に付与される力、モーメントを説明するための側面図である。
【図８】基端が筐体に固定され、先端が可動部（質量部）に固定された一対の平行な梁（梁部材および磁歪棒）を有する構造体について、可動部に外力を付与した際に、各部材に蓄積される弾性エネルギーについて説明するための側面図である。
【図９】鉄−ガリウム系合金を主成分とする磁歪材料で構成された磁歪棒および非磁性ステンレス鋼で構成された棒材について、それぞれ、基端を筐体に固定した状態で、先端に対して外力を付与して振動させた際に、各先端の振幅の経時変化を示すグラフである。
【図１０】基端が筐体に固定された１つの棒材（１つの梁）の先端に対して、下方向に外力を付与した状態を模式的に示す側面図である。
【図１１】基端が筐体に固定された対向する一対の平行な梁（平行梁）の先端に対して、下方向に外力を付与した状態を模式的に示す側面図である。
【図１２】先端に外力が付与された一対の平行梁にかかる応力（伸長応力、収縮応力）を模式的に示す図である。
【図１３】鉄−ガリウム系合金を主成分とする磁歪材料で構成された磁歪棒において、付与される応力に応じた、印加される磁場（Ｈ）と磁束密度（Ｂ）との関係を示すグラフである。
【図１４】本発明の発電装置の第２実施形態を示す斜視図である。
【発明を実施するための形態】
【００２０】
以下、本発明の発電装置を添付図面に示す好適な実施形態に基づいて説明する。
＜第１実施形態＞
まず、本発明の発電装置の第１実施形態について説明する。
【００２１】
図１は、本発明の発電装置の第１実施形態を示す斜視図である。図２は、図１に示す発電装置の分解斜視図である。図３（ａ）は、図１に示す発電装置の側面図である。図３（ｂ）は、図３（ａ）に示す発電装置からコイルを取り除いた状態を示す図である。図４は、図１に示す発電装置の平面図である。図５は、図１に示す発電装置の正面図である。図６は、図１に示す発電装置を筐体に取り付けた状態を説明するための側面図である。
【００２２】
なお、以下の説明では、図１、図２、図３（ａ），（ｂ）、図５および図６中の上側および図４中の紙面手前側を「上」または「上方」と言い、図１、図２、図３（ａ），（ｂ）、図５および図６中の下側および図４中の紙面奥側を「下」または「下方」と言う。また、図１および図２中の紙面右奥側および図３（ａ），（ｂ）、図４および図６中の右側を「先端」と言い、図１および図２中の紙面左手前側および図３（ａ），（ｂ）、図４および図６中の左側を「基端」と言う。
【００２３】
図１および図２に示す発電装置１は、軸方向に磁力線を通過させる磁歪棒２と、磁歪棒２に応力を付与する機能を有する梁部材７３と、磁力線が軸方向に通過するように配置されたコイル３とを有している。この発電装置１では、磁歪棒２の基端（一端）に対して先端（他端）を、その軸方向とほぼ垂直な方向（図１中、上下方向）に変位させて、磁歪棒２をその長手方向に伸縮させる。このとき、逆磁歪効果により磁歪棒２の透磁率が変化し、磁歪棒２を通過する磁力線の密度（コイル３を貫く磁力線の密度）が変化することにより、コイル３に電圧が発生する。本実施形態では、かかる発電装置１は、筐体１００に固定される。
【００２４】
以下、各部の構成について説明する。
（磁歪棒２）
本実施形態の発電装置１は、図１および図２に示すように、併設された２つの磁歪棒２、２を有している。磁歪棒２は、磁歪材料で構成され、磁化が生じ易い方向（磁化容易方向）を軸方向として配置されている。本実施形態では、この磁歪棒２は、長尺の平板状をなしており、その軸方向に磁力線を通過させる。
【００２５】
このような磁歪棒２は、その横断面形状（短手方向の断面形状）が軸方向に沿ってほぼ一定となっているのが好ましい。磁歪棒２の平均厚さは、特に限定されないが、０．３〜１０ｍｍ程度であるのが好ましく、０．５〜５ｍｍ程度であるのがより好ましい。また、磁歪棒２の平均横断面積は、０．２〜２００ｍｍ２程度であるのが好ましく、０．５〜５０ｍｍ２程度であるのがより好ましい。かかる構成により、磁歪棒２の軸方向に磁力線を確実に通過させることができる。
【００２６】
磁歪材料のヤング率は、４０〜１００ＧＰａ程度であるのが好ましく、５０〜９０ＧＰａ程度であるのがより好ましく、６０〜８０ＧＰａ程度であるのがさらに好ましい。かかるヤング率を有する磁歪材料で磁歪棒２を構成することにより、磁歪棒２をより大きく伸縮させることができる。このため、磁歪棒２の透磁率をより大きく変化させることができるので、発電装置１（コイル３）の発電効率をより向上させることができる。
【００２７】
かかる磁歪材料としては、特に限定されないが、例えば、鉄−ガリウム系合金、鉄−コバルト系合金、鉄−ニッケル系合金等が挙げられ、これらの１種または２種以上を組み合わせて用いることができる。これらの中でも、鉄−ガリウム系合金（ヤング率：約７０ＧＰａ）を主成分とする磁歪材料が好適に用いられる。鉄−ガリウム系合金を主成分とする磁歪材料は、前述したようなヤング率の範囲に設定し易い。
【００２８】
また、以上のような磁歪材料は、Ｙ、Ｐｒ、Ｓｍ、Ｔｂ、Ｄｙ、Ｈｏ、Ｅｒ、Ｔｍのような希土類金属のうちの少なくとも１種を含むのが好ましい。これにより、磁歪棒２の透磁率の変化をより大きくすることができる。
また、かかる磁歪材料の損失係数は、９×１０−４〜９×１０−２程度である。
【００２９】
かかる２つの磁歪棒２、２の外周には、それらの両端部２１、２２を除く部分を囲むようにコイル３が巻回（配置）されている。
【００３０】
（コイル３）
コイル３は、線材３１を磁歪棒２の外周に巻回することにより構成されている。これにより、コイル３は、磁歪棒２を通過している磁力線が、その軸方向に通過する（内腔部を貫く）ように配設されている。このコイル３には、磁歪棒２の透磁率の変化、すなわち、磁歪棒２を通過する磁力線の密度（磁束密度）の変化に基づいて、電圧が発生する。
【００３１】
本実施形態の発電装置１では、磁歪棒２、２を厚さ方向ではなく、幅方向に併設するため、これらの間隔を大きく設計することができる。そのため、磁歪棒２に巻回するコイル３のスペースを十分に確保することができ、横断面積（線径）が比較的大きい線材３１を用いても、その巻き数を多くすることができる。線径が大きい線材は、その抵抗値（負荷インピーダンス）が小さく、効率良く電流を流すことができるため、コイル３に発生した電圧を効率良く利用することができる。
【００３２】
ここで、磁歪棒２の磁束密度の変化に基づいて、コイル３に発生する電圧εは下記（１）式で表される。
ε＝Ｎ×ΔＢ／ΔＴ      （１）
（ただし、Ｎは線材３１の巻き数、ΔＢはコイル３の内腔部を通過する磁束の変化量、ΔＴは時間の変化量を表す。）
【００３３】
このように、コイル３に発生する電圧は、線材３１の巻き数および磁歪棒２の磁束密度の変化量（ΔＢ／ΔＴ）に比例するため、線材３１の巻き数を多くすることにより、発電装置１の発電効率を向上させることができる。
【００３４】
線材３１としては、特に限定されないが、例えば、銅製の基線に絶縁被膜を被覆した線材や、銅製の基線に融着機能を付加した絶縁被膜を被覆した線材等が挙げられ、これらのうちの１種または２種以上を組み合わせて用いることができる。
【００３５】
線材３１の巻き数は、特に限定されないが、１０００〜１００００程度であるのが好ましく、２０００〜９０００程度であるのがより好ましい。これにより、コイル３に発生する電圧をより大きくすることができる。
【００３６】
また、線材３１の横断面積は、特に限定されないが、５×１０−４〜０．１５ｍｍ２程度であるのが好ましく、２×１０−３〜０．０８ｍｍ２程度であるのがより好ましい。このような線材３１は、その抵抗値が十分に低いため、発生した電圧によってコイル３を流れる電流を効率良く外部に流すことができ、発電装置１の発電効率をより向上させることができる。
【００３７】
なお、線材３１の横断面形状は、例えば、三角形、正方形、長方形、六角形のような多角形、円形、楕円形等のいかなる形状であってもよい。
各磁歪棒２の基端側には、第１のブロック体４が設けられている。
【００３８】
（第１のブロック体４）
第１のブロック体４は、発電装置１を、筐体１００に固定するための固定部として機能する。第１のブロック体４を介して発電装置１を固定することにより、磁歪棒２は、その基端を固定端、先端を可動端として片持ち支持されている。このような発電装置１は、筐体１００に第１のブロック体４を固定し、発電装置１の先端（後述する第２のブロック体５）に直接外部から力を与えるようにし、無線装置と組み合わせることで人が操作するスイッチとして用いることができる。なお、スイッチの具体例については、後述する。
【００３９】
図１および図２に示すように、このような第１のブロック体４は、先端側の高背部４１と、この高背部４１よりも高さ（厚さ）が小さい低背部４２とを有しており、外形が階段状（段差状）をなしている。
【００４０】
高背部４１の厚み方向の略中央には、その幅方向に沿って形成されたスリット４１１が設けられており、このスリット４１１に磁歪棒２の基端部２１が挿入される。また、高背部４１の幅方向の両端部には、その厚さ方向に貫通する一対の雌ネジ部４１２が設けられている。各雌ネジ部４１２には、雄ネジ４３が螺合する。
【００４１】
低背部４２の幅方向の両端部には、その厚さ方向に貫通する一対の雌ネジ部４２１が設けられており、各雌ネジ部４２１には、雄ネジ４４が螺合する。この雄ネジ４４を、雌ネジ部４２１を介して筐体等に螺合することにより、第１のブロック体４を筐体に固定することができる。
【００４２】
また、低背部４２の下面には、その幅方向に延在する溝４２２が形成されている。したがって、第１のブロック体４は、溝４２２を挟む基端側（低背部４２）と先端側（主に高背部４１）との２つの部位で筐体１００に固定されるため、溝４２２付近で撓み易い構成となる。
一方、磁歪棒２の先端側には、第２のブロック体５が設けられている。
【００４３】
（第２のブロック体５）
第２のブロック体５は、磁歪棒２に対して外力や振動を付与する錘（質量部）として機能する部位である。第２のブロック体５に対して、下方向に外力を付与して、第２のブロック体５を下方に変位させる。その後、外力を取り除くと、第２のブロック体５は上下方向に振動する。これにより、磁歪棒２は、その基端を固定端とし、先端が上下方向に往復動（先端が基端に対して相対的に変位）する。
【００４４】
図１および図２に示すように、第２のブロック体５は、略直方体状をなしており、その基端側には、厚さ方向の略中央に、幅方向に沿って形成されたスリット５０１が設けられている。このスリット５０１に磁歪棒２の先端部２２が挿入される。なお、本実施形態では、第２のブロック体５の上面からスリット５０１までの長さが、第１のブロック体４の高背部４１の上面からスリット４１１までの長さとほぼ等しくなるように構成されている。
【００４５】
また、第２のブロック体５の幅方向の両端部には、その厚さ方向に貫通する一対の雌ネジ部５０２が設けられており、各雌ネジ部５０２には、雄ネジ５３が螺合する。
【００４６】
第１のブロック体４および第２のブロック体５の構成材料としては、それぞれ、磁歪棒２の端部２１、２２を確実に固定することができ、磁歪棒２に対して、一様な応力を付与し得る十分な剛性を備え、かつ、磁歪棒２に永久磁石６からのバイアス磁界を付与し得る強磁性を備える材料であれば、特に限定されない。上記の特性を備える材料としては、例えば、純鉄（例えば、ＪＩＳ  ＳＵＹ）、軟鉄、炭素鋼、電磁鋼（ケイ素鋼）、高速度工具鋼、構造鋼（例えば、ＪＩＳ  ＳＳ４００）、ステンレス、パーマロイ等が挙げられ、これらのうちの１種または２種以上を組み合わせて用いることができる。
【００４７】
また、第１のブロック体４および第２のブロック体５の幅は、磁歪棒２の幅よりも大きく設計されている。具体的には、各ブロック体４、５のスリット４１１、５０１に磁歪棒２を挿入した際に、一対の雌ネジ部４１２、５０２間に磁歪棒２を配置することが可能となるような幅を有する。このような各ブロック体４、５の幅としては、３〜１５ｍｍ程度であるのが好ましく、５〜１０ｍｍ程度であるのがより好ましい。各ブロック体４、５の幅を上記範囲内とすることにより、発電装置１の小型化を図りながら、各磁歪棒２に巻回されるコイル３の体積を十分に確保することができる。
【００４８】
第１のブロック体４同士の間および第２のブロック体５同士の間には、磁歪棒２にバイアス磁界を印加する２つの永久磁石６が設けられている。
【００４９】
（永久磁石６）
各永久磁石６は、円柱状をなしている。
【００５０】
図４に示すように、第１のブロック体４同士の間に設けられた永久磁石６は、Ｓ極を図４中下側に、Ｎ極を図４中上側にして配置されている。また、第２のブロック体５同士の間に設けられた永久磁石６は、Ｓ極を図４中上側に、Ｎ極を図４中下側にして配置されている。すなわち、各永久磁石６は、その着磁方向が磁歪棒２の併設方向と一致するように配設されている（図５等参照）。これにより、発電装置１には、時計周りの磁界ループが形成されている。
【００５１】
永久磁石６には、例えば、アルニコ磁石、フェライト磁石、ネオジム磁石、サマリウムコバルト磁石や、それらを粉砕して樹脂材料やゴム材料に混練した複合素材を成形してなる磁石（ボンド磁石）等を用いることができる。このような永久磁石６は、各ブロック体４、５と、例えば、接着剤等による接着により固定されるのが好ましい。
【００５２】
なお、発電装置１では、永久磁石６が、第２のブロック体５ごと、変位するように構成されている。したがって、第２のブロック体５と永久磁石６との間で摩擦が発生しない。このため、摩擦によって第２のブロック体５が変位するためのエネルギーが消費されないため発電装置１は、効率良く発電することができる。
【００５３】
このような磁歪棒２、２は、各第１のブロック体４および各第２のブロック体５を介して連結部７により連結されている。
【００５４】
（連結部７）
連結部７は、第１のブロック体４同士を連結する第１の連結部材７１と、第２のブロック体５同士を連結する第２の連結部材７２と、第１の連結部材７１と第２の連結部材７２とを連結する１つの梁部材７３とを備えている。このような連結部７は、弱磁性材料または非磁性材料で構成されている。
【００５５】
本実施形態では、第１の連結部材７１、第２の連結部材７２および梁部材７３は、いずれも帯状（長尺の平板状）をなしており、連結部７全体としては、平面視において、Ｈ字状をなしている。連結部７は、各部材を溶接等により連結した構成であってもよいが、各部材が一体的に形成されているのが好ましい。
【００５６】
第１の連結部材７１は、２つの第１のブロック体４に設けられた４つの雌ネジ部４１２に対応する位置に形成された４つの貫通孔７１１を備えている。スリット４１１に磁歪棒２の基端部２１を挿入し、雄ネジ４３を第１の連結部材７１の貫通孔７１１に挿通して雌ネジ部４１２に螺合する。これにより、第１の連結部材７１が第１のブロック体４の高背部４１にネジ止めされるとともに、スリット４１１の間隔が狭まることにより、基端部２１（磁歪棒２）が第１のブロック体４に固定される。
【００５７】
第２の連結部材７２は、２つの第２のブロック体５に設けられた４つの雌ネジ部５０２に対応する位置に形成された４つの貫通孔７２１を備えている。スリット５０１に磁歪棒２の先端部２２を挿入し、雄ネジ５３を第２の連結部材７２の貫通孔７２１に挿通して雌ネジ部５０２に螺合する。これにより、第２の連結部材７２が第２のブロック体５にネジ止めされるとともに、スリット５０１の間隔が狭まることにより、先端部２２（磁歪棒２）が第２のブロック体５に固定される。
【００５８】
このように、雄ネジ４３により、磁歪棒２および第１の連結部材７１を第１のブロック体４に、雄ネジ５３により、磁歪棒２および第２の連結部材７２を第２のブロック体５に共締めするため、部材同士を固定、連結するための部品点数および組立工数を少なくすることができる。なお、接合方法は上述したようなネジ止めに限られず、接着剤による接着、ろう付け、溶接（レーザー溶接、電気溶接）などでも良い。
【００５９】
このような第１の連結部材７１および第２の連結部材７２の長さを設定することにより、磁歪棒２、２同士の間隔を変更することができる。磁歪棒２、２同士の間隔を大きくすることにより、各磁歪棒２にコイル３を巻回するスペースを十分に確保することができる。これにより、コイル３の体積を十分に大きくすることができ、結果として、発電装置１の発電効率を向上させることができる。
【００６０】
梁部材７３は、第１の連結部材７１および第２の連結部材７２の中央部同士を連結している。そして、発電装置１では、平面視において、この梁部材７３と各磁歪棒２、２とが重ならないように配置され（図４参照）、側面視において、梁部材７３と磁歪棒２、２とが、一定の距離離間した状態で互いに平行となるように配置されている（図３参照）。本実施形態では、梁部材７３の幅は、各磁歪棒２に巻回されたコイル３同士の間隔より小さく設計され、側面視において、梁部材７３の下面とコイル３の上面とがほぼ一致している。
【００６１】
発電装置１では、２つの磁歪棒２、２と梁部材７３とが対向する梁（平行梁）として機能し、第２のブロック体５の変位に伴って、各磁歪棒２と梁部材７３とが同一方向（図１中の上方向または下方向）に変位する。ここで、梁部材７３が２つの磁歪棒２、２間に配置されているため、各磁歪棒２が変位する際に、これらと梁部材７３とが互いに接触することはない。
【００６２】
このような発電装置１は、図６に示すように、雄ネジ４４により第１のブロック体４が筐体１００に固定される。この状態において、第２のブロック体５に対して、下方向に外力を付与して、第２のブロック体５を下方に変位させた後、外力を取り除くと、第２のブロック体５は上下方向に振動する。第２のブロック体５が振動する際に、第１のブロック体４に対して、第２のブロック体５が下方に向かって変位（回動）すると、すなわち、磁歪棒２の基端に対して先端が下方に向かって変位すると、梁部材７３が軸方向に伸長するように変形し、磁歪棒２が軸方向に収縮するように変形する。一方、第２のブロック体５が上方に向かって変位（回動）すると、すなわち、磁歪棒２の基端に対して先端が上方に向かって変位すると、梁部材７３が軸方向に収縮するように変形し、磁歪棒２が軸方向に伸長するように変形する。その結果、逆磁歪効果により磁歪棒２の透磁率が変化して、磁歪棒２を通過する磁力線の密度（コイル３の内腔部を軸方向に貫く磁力線の密度）が変化する。これにより、コイル３に電圧が発生する。
【００６３】
かかる発電装置１では、２つの磁歪棒２、２と梁部材７３とからなる梁の先端（第２のブロック体５）に外力を付与し、その先端（一端）を基端（他端）に対して変位させて磁歪棒２、２および梁部材７３を変形させたときに、梁部材７３に蓄積される弾性エネルギーが、２つの磁歪棒２、２に蓄積される弾性エネルギーよりも大きくなる。
【００６４】
上述したように、発電装置１では、２つの磁歪棒２、２と梁部材７３とが対向する一対の梁として機能し、第２のブロック体５に対して外力が付与されると、各磁歪棒２および梁部材７３は、それぞれ同じ方向に変位し、２つの磁歪棒２、２および梁部材７３が曲げ変形するとともに、２つの磁歪棒２、２および梁部材７３のうちの一方が伸長するように変形し、他方が収縮するように変形する。この変形に伴い、各磁歪棒２および梁部材７３には弾性エネルギーが蓄積され、この弾性エネルギーが運動エネルギーに変換されることにより、第２のブロック体５が上下方向に振動する。
【００６５】
発電装置１では、外力の付与によって梁部材７３に蓄積される弾性エネルギーが大きいため、第２のブロック体５を上下方向に振動させるための運動エネルギーも大きくすることができる。さらに、この第２のブロック体５の振動によって、運動エネルギーが磁歪棒２、２の変形（伸長・収縮方向への変形）に効率良く消費されることにより、発電装置の発電効率を向上させることができる。
【００６６】
なお、発電装置１のように一対の梁を構成する各部材に、変形に伴って蓄積される弾性エネルギーＵ［Ｊ］は、各部材のバネ定数Ｋ［Ｎ／ｍ］、変位量（撓み量）ΔＳ［ｍ］を用いて、下記（２）式で表される。
Ｕ＝１／２×Ｋ×ΔＳ２        （２）
【００６７】
発電装置１では、外力の付与によって、梁部材７３および各磁歪棒２が同じ方向に変位し、それぞれの変位量はほぼ等しい。したがって、梁部材７３のバネ定数を磁歪棒２のバネ定数よりも大きくすることにより、梁部材７３に蓄積される弾性エネルギーを、各磁歪棒２に蓄積される弾性エネルギーよりも大きくすることができる。
【００６８】
ところで、発電装置１において、梁部材７３および磁歪棒２の変形は、各部材の先端が変位する方向、すなわち、各部材が曲がる方向（図３中、上下方向）への変形（曲げ変形）と、各部材が伸長または収縮する方向への変形とからなる。したがって、変形に伴って各部材に蓄積される弾性エネルギーは、曲げ変形に伴う弾性エネルギーと、伸長・収縮方向への変形に伴う弾性エネルギーとを足し合わせたエネルギーとなる。
【００６９】
一般的に、ある梁部材の曲げ方向および伸長・収縮方向に、それぞれ同じ外力を付与した場合には、曲げ変形に伴って部材に蓄積される弾性エネルギーの大きさの方が、伸長・収縮方向への変形に伴って部材に蓄積される弾性エネルギーの大きさに比べて大きくなる。具体的には、曲げ変形によって部材に蓄積される弾性エネルギーは、伸長・収縮方向への変形によって部材に蓄積される弾性エネルギーの数十倍となる。
【００７０】
したがって、発電装置１では、梁部材７３に蓄積される弾性エネルギーをより大きくするために、伸長・収縮方向への変形よりも曲げ変形によって、梁部材７３に効率良く弾性エネルギーを蓄積できるように構成されているのが好ましい。
【００７１】
一方、磁歪棒２は、伸長・収縮方向に変形することにより、その透磁率が変化し、磁束密度が変化することにより発電に寄与するが、曲げ変形によっては、その透磁率が変化しない。したがって、磁歪棒２には、曲げ変形よりも伸長・収縮方向への変形によって、効率良く弾性エネルギーを蓄積できるように構成されているのが好ましい。
【００７２】
ここで、基端が筐体に固定され、先端が可動部（質量部）に固定された一対の梁を有する構造体について、可動部の振動によって各部材に付与される力、モーメントについて説明する。
【００７３】
図７は、基端が筐体に固定され、先端が可動部（質量部）に固定された一対の平行な梁（梁部材および磁歪棒）を有する構造体について、可動部の振動によって各部材に付与される力、モーメントを説明するための側面図である。
【００７４】
より具体的には、図７（ａ−１）〜（ａ−３）は、それぞれ、各梁を構成する梁部材と磁歪棒とが、仮に、同じヤング率、形状を有しているとした場合の構造体を示している。図７（ｂ−１）は、梁部材として、図７（ａ−１）に示す構造体の梁部材に比べて、その横断面積およびヤング率が大きい部材を用いて、梁部材のみで可動部を支持する構造体を示しており、図７（ｂ−２）および（ｂ−３）は、それぞれ、図７（ｂ−１）に示す構造体の梁部材と、かかる梁部材よりも横断面積およびヤング率が小さい磁歪棒とで一対の梁を構成した構造体を示している。
【００７５】
なお、図７中の上側を、「上」または「上側」と言い、図７中の下側を、「下」または「下側」と言う。
【００７６】
梁部材と磁歪棒とが、同じヤング率および同じ形状を有している場合には、可動部に対して下方向に外力を加え、可動部を下方向に変位させると、梁部材および磁歪棒は、それぞれ下方向に曲げ変形するとともに、さらに、梁部材は伸長する方向に変形し、磁歪棒は収縮する方向に変形する（図７（ａ−２）参照）。この状態で、可動部に付与された外力が取り除かれると、可動部は上方向に変位して、梁部材および磁歪棒は、それぞれ上方向に曲げ変形するとともに、さらに、梁部材は収縮する方向に変形し、磁歪棒は伸長する方向に変形する（図７（ａ−３）参照）。その後、可動部の上下方向への振動に伴い、可動部に発生する回転モーメントによって、梁部材および磁歪棒は、曲げ変形および伸長・収縮方向への変形を繰り返す。この可動部の振動によって、梁部材および磁歪棒には、変位する方向（曲げ方向、伸長・収縮方向）に力が付与される。
【００７７】
一方、図７（ｂ−１）に示す構造体は、梁部材として、図７（ａ−１）に示す構造体の梁部材に比べてその横断面積およびヤング率が大きい部材を用いて、梁部材のみで可動部を支持する構成である。かかる構成では、可動部に対して外力を加えて、可動部を下方向に変位させると、梁部材は、下方向に曲げ変形するが、伸長・収縮方向にはほとんど変形しない。この状態で、可動部に付与された外力が取り除かれると、可動部は上方向に変位して、梁部材は、上方向に曲げ変形するが、伸長・収縮方向にはほとんど変形しない。その後、可動部の上下方向への振動に伴って、梁部材も上下方向に変位するが、その際に、梁部材は、伸長・収縮方向にほとんど変形せずに、ほぼ曲げ方向にのみ変形する。すなわち、梁部材には、可動部に付与された外力によって、ほぼ曲げ方向への力しか付与されない。
【００７８】
このような構造体に、図７（ｂ−２）および（ｂ−３）に示すように、梁部材よりも横断面積およびヤング率が小さい磁歪棒を追加し、梁部材と磁歪棒とで一対の梁を構成した構造体とする。かかる構造体においても、梁部材には、可動部に付与された外力によって、ほぼ曲げ方向への力しか付与されない。かかる構造体では、磁歪棒の剛性が梁部材に比べて小さいため、可動部の変位によって梁部材が曲げ変形する際に、磁歪棒は、梁部材の曲げ変形に対して従属的に曲げ変形する。このような磁歪棒には、可動部に付与された外力によって、曲げ方向への力がほとんど付与されず、ほぼ伸長・収縮方向への力しか付与されない。
【００７９】
すなわち、図７（ｂ−２）および（ｂ−３）に示す構造体では、可動部に付与された外力によって、梁部材には曲げ変形に伴う弾性エネルギーが主に蓄積され、磁歪棒には、伸長・収縮方向への変形に伴う弾性エネルギーが主に蓄積される。この図７（ｂ−２）および（ｂ−３）に示す構造体を発電装置に適用した場合には、その発電効率をより向上させることができる。
【００８０】
以下に、図７に示すような構造体において、可動部（質量部）に外力を付与した際に、各部材に蓄積される弾性エネルギーについて詳細に説明する。
【００８１】
図８は、基端が筐体に固定され、先端が可動部（質量部）に固定された一対の平行な梁（梁部材および磁歪棒）を有する構造体について、可動部に外力を付与した際に、各部材に蓄積される弾性エネルギーについて説明するための側面図である。
【００８２】
また、図８中の上側を、「上」または「上側」と言い、図８中の下側を、「下」または「下側」と言う。
【００８３】
なお、図８に示される構造体では、梁部材および磁歪棒の長さは、それぞれ、Ｌｈ［ｍ］、Ｌｊ［ｍ］であり、ほぼ等しい（Ｌｈ≒Ｌｊ）。また、梁部材および磁歪棒は、それぞれ、横断面形状（短手方向の断面形状）が長手方向に沿ってほぼ一定であり、梁部材および磁歪棒の横断面積は、それぞれ、Ａｈ［ｍ２］、Ａｊ［ｍ２］である。また、梁部材および磁歪棒の構成材料のヤング率は、それぞれ、Ｅｈ［Ｎ／ｍ２］、Ｅｊ［Ｎ／ｍ２］である。また、梁部材および磁歪棒の横断面（短手方向の断面）における断面２次モーメントは、それぞれ、Ｉｈ［ｍ４］、Ｉｊ［ｍ４］である。
【００８４】
かかる構造体全体のバネ定数をＫｆ［Ｎ／ｍ］、可動部に対して下方向に付与される外力をＦｆ［Ｎ］、付与された外力により下方向への変位量（たわみ量）をΔＳｆ［ｍ］とする。この場合、付与された外力Ｆｆによって、かかる構造体に蓄積される弾性エネルギーＵｆ［Ｊ］は、下記（２−１）式で表される。
Ｕｆ＝１／２×Ｆｆ×ΔＳｆ＝１／２×Ｋｆ×ΔＳｆ２    （２−１）
【００８５】
また、可動部に外力Ｆｆが付与された際に、可動部の変位に伴って、梁部材および磁歪棒は、曲げ方向（図８中、上下方向）、伸長・収縮方向（各部材の長手方向）に変形する。
【００８６】
その際に、梁部材および磁歪棒の先端の曲げ方向への変位量（たわみ量）は、それぞれ、ΔＳｍｈ［ｍ］、ΔＳｍｊ［ｍ］であり、ほぼ等しい（ΔＳｍｈ≒ΔＳｍｊ）。また、梁部材および磁歪棒の曲げ方向のモーメント（曲げ方向に付与される力）は、それぞれ、Ｆｍｈ［Ｎ］、Ｆｍｊ［Ｎ］である。また、梁部材および磁歪棒の曲げ方向のバネ定数は、それぞれ、Ｋｍｈ［Ｎ／ｍ］、Ｋｍｊ［Ｎ／ｍ］である。また、曲げ変形に伴って梁部材および磁歪棒に蓄積される弾性エネルギーは、それぞれ、Ｕｍｈ［Ｊ］、Ｕｍｊ［Ｊ］である。
【００８７】
また、梁部材および磁歪棒の伸長・収縮方向への変形量は、それぞれ、ΔＬｈ［ｍ］、ΔＬｊ［ｍ］であり、ほぼ等しい（ΔＬｈ≒ΔＬｊ）。また、梁部材および磁歪棒の伸長・収縮方向に付与される力は、それぞれ、ΔＦｈ［Ｎ］、ΔＦｊ［Ｎ］である。また、梁部材および磁歪棒の伸長・収縮方向のバネ定数は、それぞれ、Ｋｈ［Ｎ／ｍ］、Ｋｊ［Ｎ／ｍ］である。また、伸長・収縮方向への変形に伴って梁部材および磁歪棒に蓄積される弾性エネルギーは、それぞれ、Ｕｈ［Ｊ］、Ｕｊ［Ｊ］である。
【００８８】
ここで、可動部に外力Ｆｆが付与された際に、図８に示す構造体に蓄積される弾性エネルギーＵｆは、曲げ変形に伴って梁部材および磁歪棒に蓄積される弾性エネルギーＵｍｈ、Ｕｍｊと、伸長・収縮方向への変形に伴って梁部材および磁歪棒に蓄積される弾性エネルギーＵｈ［Ｊ］、Ｕｊ［Ｊ］を用いて下記（２−２）式で表される。
Ｕｆ≒Ｕｍｈ＋Ｕｍｊ＋Ｕｈ＋Ｕｊ          （２−２）
【００８９】
曲げ変形に伴い梁部材および磁歪棒に蓄積される弾性エネルギーＵｍｈ、Ｕｍｊは、それぞれ、下記（２−３）、（２−４）式で表される。
Ｕｍｈ＝１／２×Ｋｍｈ×ΔＳｍｈ２        （２−３）
Ｕｍｊ＝１／２×Ｋｍｊ×ΔＳｍｊ２        （２−４）
【００９０】
上述したように、ΔＳｍｈ≒ΔＳｍｊであるから、弾性エネルギーＵｍｈ、Ｕｍｊは、下記（２−５）式の関係を満足する。
Ｕｍｈ∝Ｋｍｈ、Ｕｍｊ∝Ｋｍｊ            （２−５）
【００９１】
ここで、曲げ方向のバネ定数Ｋｍｈ、Ｋｍｊは、それぞれ、下記（２−６）、（２−７）式で表せる。
Ｋｍｈ＝３×Ｅｈ×Ｉｈ／Ｌｈ３            （２−６）
Ｋｍｊ＝３×Ｅｊ×Ｉｊ／Ｌｊ３            （２−７）
【００９２】
また、上述したように、Ｌｈ≒Ｌｊであるため、上記（２−５）〜（２−７）式から、弾性エネルギーＵｍｈ、Ｕｍｊは、下記（２−８）式の関係を満足する。
Ｕｍｈ∝Ｅｈ×Ｉｈ、Ｕｍｊ∝Ｅｊ×Ｉｊ    （２−８）
【００９３】
上記（２−８）式から分かるように、曲げ変形に伴って梁部材および磁歪棒に蓄積される弾性エネルギーは、各部材の構成材料のヤング率×各部材の横断面の断面２次モーメントの値に比例する。したがって、発電装置１では、梁部材７３の構成材料のヤング率Ｅｈ×梁部材７３の横断面の断面２次モーメントＩｈの値を、磁歪棒２の構成材料（磁歪材料）のヤング率Ｅｊ×磁歪棒２の横断面の断面２次モーメントＩｊの値よりも大きくすることが好ましい。すなわち、発電装置１では、梁部材７３および磁歪棒２が、Ｅｈ×Ｉｈ＞Ｅｊ×Ｉｊの関係を満足するのが好ましい。これにより、曲げ変形に伴って梁部材７３に蓄積される弾性エネルギーを、曲げ変形に伴って磁歪棒２に蓄積される弾性エネルギーよりも大きくすることができ、その結果、発電装置１の発電効率をより向上させることができる。
【００９４】
一方、伸長・収縮方向への変形に伴い梁部材および磁歪棒に蓄積される弾性エネルギーＵｈ、Ｕｊは、それぞれ、下記（２−９）、（２−１０）式で表される。
Ｕｈ＝１／２×Ｆｈ×ΔＬｈ                （２−９）
Ｕｊ＝１／２×Ｆｊ×ΔＬｊ                （２−１０）
【００９５】
また、ΔＬｈおよびΔＬｊは、梁部材および磁歪棒の伸長・収縮方向へのバネ定数Ｋｈ、Ｋｊを用いて下記（２−１１）式の関係を満足する。
ΔＬｈ＝Ｆｈ／Ｋｈ、ΔＬｊ＝Ｆｊ／Ｋｊ    （２−１１）
【００９６】
したがって、上記（２−９）〜（２−１１）式から、弾性エネルギーＵｈ、Ｕｊは、下記（２−１２）、（２−１３）式の関係を満足する。
Ｕｈ＝１／２×Ｆｈ２／Ｋｈ                （２−１２）
Ｕｊ＝１／２×Ｆｊ２／Ｋｊ                （２−１３）
【００９７】
ここで、可動部の変位によって、梁部材および磁歪棒の伸長・収縮方向に付与される力は、ほぼ等しい（Ｆｈ≒Ｆｊ）。したがって、上記（２−１２）および（２−１３）式から、弾性エネルギーＵｈ、Ｕｊは、下記（２−１４）式の関係を満足する。
Ｕｈ∝１／Ｋｈ、Ｕｊ∝１／Ｋｊ            （２−１４）
【００９８】
ここで、伸長・収縮方向のバネ定数Ｋｈ、Ｋｊは、それぞれ、下記（２−１５）、（２−１６）式で表せる。
Ｋｈ＝Ｅｈ×Ａｈ／Ｌｈ                    （２−１５）
Ｋｊ＝Ｅｊ×Ａｊ／Ｌｊ                    （２−１６）
【００９９】
また、上述したように、Ｌｈ≒Ｌｊであるため、上記（２−１４）〜（２−１６）式から、弾性エネルギーＵｈ、Ｕｊは、下記（２−１７）式の関係を満足する。
Ｕｈ∝１／（Ｅｈ×Ａｈ）、Ｕｊ∝１／（Ｅｊ×Ａｊ）    （２−１７）
【０１００】
上記（２−１７）式から分かるように、伸長・収縮方向への変形に伴って梁部材および磁歪棒に蓄積される弾性エネルギーは、各部材の構成材料のヤング率×各部材の横断面積の値に反比例する。したがって、発電装置１では、梁部材７３の構成材料のヤング率Ｅｈ×梁部材７３の横断面積Ａｈの値を、磁歪棒２の構成材料（磁歪材料）のヤング率Ｅｊ×磁歪棒２の横断面積Ａｊの値よりも大きくすることが好ましい。すなわち、発電装置１では、梁部材７３および磁歪棒２が、Ｅｈ×Ａｈ＞Ｅｊ×Ａｊの関係を満足するのが好ましい。これにより、伸長・収縮方向への変形に伴って磁歪棒２に蓄積される弾性エネルギーを、伸長・収縮方向への変形に伴って梁部材７３に蓄積される弾性エネルギーよりも大きくすることができ、その結果、発電装置１の発電効率をより向上させることができる。
【０１０１】
なお、梁部材７３および磁歪棒２が、Ｅｈ×Ｉｈ＞Ｅｊ×Ｉｊの関係、およびＥｈ×Ａｈ＞Ｅｊ×Ａｊの関係のいずれも満足する場合には、以下の効果が得られる。すなわち、曲げ変形に伴って梁部材７３に蓄積される弾性エネルギーＵｍｈを、曲げ変形に伴って磁歪棒２に蓄積される弾性エネルギーＵｍｊよりも相対的に大きくすることができる。また、伸長・収縮方向への変形に伴って磁歪棒２に蓄積される弾性エネルギーＵｊを、伸長・収縮方向への変形に伴って梁部材７３に蓄積される弾性エネルギーＵｈよりも相対的に大きくすることができる。これにより、第２のブロック体５に対して外力が付与されることにより、梁部材７３には曲げ変形に伴う弾性エネルギーが主に蓄積され、磁歪棒２には、伸長・収縮方向への変形に伴う弾性エネルギーが主に蓄積される。そのため、発電装置１では、その発電効率をより向上させることができる。
【０１０２】
また、発電装置１では、梁部材７３の構成材料の損失係数が、磁歪棒２を構成する磁歪材料の損失係数よりも小さいのが好ましい。これにより、梁部材７３の変形に伴うエネルギーロス（構造減衰）を、磁歪棒２の変形に伴うエネルギーロス（構造減衰）よりも十分に小さくすることができる。その結果、梁部材７３に蓄積された弾性エネルギーは、第２のブロック体５を振動させるための運動エネルギーに効率良く変換される。
【０１０３】
発電装置１では、各磁歪棒２の変形に伴うエネルギーロスが比較的大きいが、梁部材７３の変形に伴うエネルギーロスが十分に小さいため、発電装置１全体としては、一対の梁（磁歪棒２、２および梁部材７３）の変形に伴うエネルギーロスを十分に小さくすることができる。これにより、発電装置１の発電効率をより向上させることができる。
【０１０４】
なお、本明細書中において、「損失係数」とは、制振材料の制振特性を評価するための指標である。一般的に、損失係数が大きい材料で構成された部材では、変形時に大きな熱エネルギーを発生し、運動エネルギーのロスが大きい。一方、損失係数が小さい材料で構成された部材では、変形時に発生する熱エネルギーが抑えられ、運動エネルギーのロスが小さくなる。各材料の損失係数の具体的な測定方法については、後述する。
【０１０５】
また、梁部材７３の構成材料は、上述したように、弱磁性材料または非磁性材料であれば、特に限定されないが、磁歪材料よりも損失係数が小さい材料として、以下に示す材料を用いるのが好ましい。なお、連結部７を構成する各部材（第１の連結部材７１、第２の連結部材７２および梁部材７３）を一体的に形成する場合には、連結部７全体が、以下に示す材料で形成されていることが好ましい。
【０１０６】
すなわち、梁部材７３（連結部７）の構成材料としては、ステンレス鋼等の弱磁性材料、アルミニウム、マグネシウム合金、鋼合金、非磁性ステンレス鋼等の非磁性材料等を用いるのが好ましい。特に、非磁性ステンレス鋼の一種であるオーステナイト系ステンレス鋼を用いるのがより好ましい。
【０１０７】
ここで、基端を筐体に固定した棒材の先端に対して、外力を付与して振動させた際に、棒材の構成材料の損失係数の違いによる振動幅（振幅）の経時変化について、図９を参照して説明する。
【０１０８】
図９は、鉄−ガリウム系合金を主成分とする磁歪材料で構成された磁歪棒および非磁性ステンレス鋼で構成された棒材について、それぞれ、基端を筐体に固定した状態で、先端に対して外力を付与して振動させた際に、各先端の振幅の経時変化を示すグラフである。
【０１０９】
なお、評価に用いた磁歪棒は、その構成材料（磁歪材料）の損失係数が９×１０−３、ヤング率が７０ＧＰａであり、長さが２５ｍｍ、断面積が１．５ｍｍ２である。また、評価に用いた非磁性ステンレス鋼で構成された棒材（梁部材）は、その構成材料の損失係数が１×１０−４、ヤング率が２００ＧＰａであり、長さが２５ｍｍ、断面積が１．５ｍｍ２である。なお、図９では、各棒材（磁歪棒および非磁性ステンレス鋼の棒材）の先端に、その軸方向に対して垂直な方向に１Ｎの荷重を付与して、各棒材の先端が振動を開始した直後の振幅（初期振幅）を１００％として示す。
【０１１０】
図９に示すように、非磁性ステンレス鋼で構成された棒材（梁部材）は、この梁部材よりも損失係数が大きい磁歪棒に比べて、その先端の振幅の減衰が緩やかである。例えば、磁歪棒では、その先端の振幅が初期振幅の５０％まで減衰するまでの時間が、おおよそ８２ｍｓｅｃであるのに対し、梁部材では、その先端の振幅が初期振幅の５０％まで減衰するまでの時間が、おおよそ２１０ｍｓｅｃである。図９から、磁歪棒に比べて損失係数の小さい梁部材では、その変形（振動）に伴うエネルギーロスが抑えられていることが分かる。
【０１１１】
梁部材７３の構成材料の損失係数は、６×１０−４以下であるのが好ましく、２×１０−５〜２×１０−４程度であるのがより好ましい。梁部材７３の構成材料の損失係数が上記条件を満足する場合には、梁部材７３の変形に伴うエネルギーロスをさらに低減することができる。これにより、梁部材７３に蓄積された弾性エネルギーは、第２のブロック体５を振動させるための運動エネルギーに、より効率良く変換されて、発電装置１の発電効率をより向上させることができる。
【０１１２】
また、梁部材７３の構成材料の損失係数をη１、磁歪棒２を構成する磁歪材料の損失係数をη２としたとき、η１／η２の値は、０．３以下であるのが好ましく、０．０１〜０．２程度であるのがより好ましい。η１／η２の値が上記条件を満足する場合には、発電装置１全体として、磁歪棒２、２および梁部材７３の変形に伴うエネルギーロスをより低減することができ、その結果、発電装置１の発電効率をより向上させることができる。
【０１１３】
なお、梁部材７３の構成材料および磁歪材料の損失係数は、それぞれ、制振鋼板の振動減衰特性の試験方法に関するＪＩＳ規格に定める方法（ＪＩＳ  Ｇ０６０２）、片持ち梁法を用いるＡＳＴＭ規格に定める方法（ＡＳＴＭ  Ｅ７５６−８３）等の方法を用いて測定することができる。
【０１１４】
また、梁部材７３の構成材料と磁歪材料との損失係数との大小関係は、例えば、以下の方法により評価することができる。すなわち、各部材（梁部材７３、磁歪棒２）の構成材料からなる棒材を準備し、棒材の基端を固定端、先端を可動端として片持ち支持した状態で、その可動端を振動させて、その振動を変位計等で測定することにより、各部材の損失係数を相対的に評価することができる。
【０１１５】
また、このような梁部材７３の構成材料のヤング率は、８０〜２００ＧＰａ程度であるのが好ましく、１００〜１９０ＧＰａ程度であるのがより好ましく、１２０〜１８０ＧＰａ程度であるのがさらに好ましい。
【０１１６】
このような梁部材７３は、その横断面形状（短手方向の断面形状）が長手方向に沿ってほぼ一定となっているのが好ましい。梁部材７３の平均厚さは、特に限定されないが、０．３〜１０ｍｍ程度であるのが好ましく、０．５〜５ｍｍ程度であるのがより好ましい。また、梁部材７３の平均横断面積は、０．２〜２００ｍｍ２程度であるのが好ましく、０．５〜５０ｍｍ２程度であるのがより好ましい。
【０１１７】
また、発電装置１では、側面視における磁歪棒２、２と梁部材７３との間隔（以下、「梁間隔」とも言う）も自由に設計することができる。具体的には、各ブロック体４、５に設けられたスリット４１１、５０１からその上面（第１のブロック体４においては、高背部４１の上面）までの長さ（高さ）を調整することにより、これらの梁間隔を自由に設計することができる。
【０１１８】
上述したように、発電装置１では、コイル３の体積を十分に大きくすることができるとともに、各磁歪棒２と梁部材７３との梁間隔を自由に設計することができる。以下に、梁間隔と発電装置１の発電効率との関係について説明する。
【０１１９】
図１０は、基端が筐体に固定された１つの棒材（１つの梁）の先端に対して、下方向に外力を付与した状態を模式的に示す側面図である。図１１は、基端が筐体に固定された対向する一対の平行な梁（平行梁）の先端に対して、下方向に外力を付与した状態を模式的に示す側面図である。図１２は、先端に外力が付与された一対の平行梁にかかる応力（伸長応力、収縮応力）を模式的に示す図である。
【０１２０】
なお、図１０〜図１２中の上側を、「上」または「上側」と言い、図１０〜図１２中の下側を、「下」または「下側」と言う。また、図１０〜図１２中の左側を、「基端」と言い、図１０〜図１２中の右側を、「先端」と言う。
【０１２１】
１つの梁の先端に対して下方に曲げ変形するように外力を付与した場合には、図１０に示すように、梁の曲げ変形に伴い、梁に応力がかかり、梁上側には一様な引張（伸長）応力、梁下側には一様な圧縮（収縮）応力が発生する。一方、一定の梁間隔を有する平行梁の先端に対して外力を付与した場合には、各梁は、図１０に示すように曲げ変形するとともに、図１１に示すように外力の付与前後で先端側の梁間隔を一定に保つために平行リンク動作を行うように変形する。このような平行梁では、梁間隔が大きいほど、この平行リンク動作が顕著に表れ、逆に、梁間隔が小さいほど、平行リンク動作が抑制されて、図１０に示すような１つの梁の曲げ変形に近い変形をするようになる。
【０１２２】
したがって、梁間隔が比較的大きい平行梁の構成では、曲げ変形と平行リンク動作による変形とが混在することにより、各梁が、図１２に示すような略Ｓ字状に変形する。平行梁が下側に変形する際には、上側の梁には一様な伸長応力が発生するのが好ましいが、図１２に示すように、中央部に伸長応力Ａが発生するものの、基端側の下部および先端側の上部に大きな収縮応力Ｂが発生する。また、下側の梁には一様な収縮応力が発生するのが好ましいが、中央部に収縮応力Ｂが発生するものの、基端側の上部および先端側の下部に大きな伸長応力Ａが発生する。すなわち、各梁に発生する伸長応力と収縮応力との双方がいずれも大きいため、梁全体に発生するいずれか一方の応力（伸長応力または収縮応力）の絶対値を大きくすることができない。このような平行梁として磁歪棒を用いた場合、磁歪棒中の磁束密度の変化量を大きくすることができない。
【０１２３】
なお、バイアス磁界が印加された磁歪棒において、発生する応力（伸長応力または収縮応力）の大きさと磁束密度の変化量とは、以下に示すような関係を有する。
【０１２４】
図１３は、鉄−ガリウム系合金（ヤング率：約７０ＧＰａ）を主成分とする磁歪材料で構成された磁歪棒において、付与される応力に応じた、印加される磁場（Ｈ）と磁束密度（Ｂ）との関係を示すグラフである。
【０１２５】
なお、図１３において、（ａ）は、磁歪棒に応力が発生していない状態、（ｂ）は、磁歪棒に９０ＭＰａの収縮応力が発生した状態、（ｃ）は、磁歪棒に９０ＭＰａの伸長応力が発生した状態、（ｄ）は、磁歪棒に５０ＭＰａの収縮応力が発生した状態、（ｅ）は、磁歪棒に５０ＭＰａの伸長応力が発生した状態をそれぞれ示す。
【０１２６】
図１３に示すように、応力が発生していない状態の磁歪棒に比べて、伸長応力が発生している磁歪棒では、その透磁率が高くなる結果、これを軸方向に通過する磁力線の密度（磁束密度）が高くなる（（ｃ）および（ｅ））。一方、応力が発生していない状態の磁歪棒に比べて、収縮応力が発生している磁歪棒では、その透磁率が低くなる結果、これを通過する磁束密度が低くなる（（ｂ）および（ｄ））。
【０１２７】
このため、図１３中に示す一定のバイアス磁界が印加された状態で、磁歪棒の一端に対して他端を振動（変位）させることにより、磁歪棒に９０ＭＰａの伸長応力と９０ＭＰａの収縮応力とを交互に発生させると、これを通過する磁束密度の変化量は１Ｔ程度となり、その変化量が最大となる（（ｂ）、（ｃ）参照）。一方、この磁歪棒に発生させる伸長応力および収縮応力を５０ＭＰａに低下させると、これを通過する磁束密度の変化量は小さくなる（（ｄ）、（ｅ）参照）。
【０１２８】
したがって、磁歪棒を通過する磁束密度の変化量を大きくするためには、磁歪棒に発生させる一定方向の応力（伸長応力または収縮応力）を十分に大きくする必要がある。なお、上記磁歪材料で構成された磁歪棒であれば、７０ＭＰａ以上の伸長応力と７０ＭＰａ以上の収縮応力とを交互に発生させることにより、磁歪棒を通過する磁束密度の変化量を十分に大きくすることができる。
【０１２９】
以上のような理由から、発電装置１では、その発電効率を向上する観点から、各磁歪棒２と梁部材７３との梁間隔を小さくして、梁の平行リンク動作を抑制することにより、図１０に示すような１つの梁の曲げ変形挙動に近づけることが望ましい。発電装置１では、コイル３の体積が、各磁歪棒２と梁部材７３との梁間隔によって制限されないため、コイル３の体積を十分に大きくしながらも、各磁歪棒２と梁部材７３との梁間隔を十分に小さく設計することができる。これにより、コイル３の体積を増大させつつも、磁歪棒２に生じる応力を均一にすることができ、発電装置１の発電効率をより向上させることができる。
【０１３０】
なお、発電装置１を適用するスイッチとしては、特に限定されないが、例えば、電源、信号線の配線をしなくとも機能し、例えば、住宅照明用無線スイッチ、住宅セキュリティー用システム（特に、窓やドアの操作検知を無線で知らせるシステム）等に用いることができる。
【０１３１】
また、車両の各スイッチに発電装置１を応用することで、電源、信号線の配線がなくなり、組立工数の削減だけではなく、車両に設ける配線に必要な重量を軽減し、車両等の軽量化を得て、タイヤ、車体、エンジンにかかる負荷を抑制し、安全性にも寄与することができる。
【０１３２】
また、発電装置１は、スイッチとして用いる以外にも、ポンプや空調用ダクト等の振動体の筐体に取り付けて用いることもできる。具体的には、第１のブロック体４を振動体の筐体に固定し、振動体からの振動により第２のブロック体５に対して、上下方向への外力または振動を付与するようにしてもよい。
【０１３３】
このような振動体としては、例えば、蒸気、水、燃料油、気体（空気、燃料ガス等）等をパイプやダクトを通して移動（排気、換気、吸気、廃液、循環）させる装置であり、大型施設、ビル、駅等の配管や空調用ダクトが挙げられる。また、発電装置１を取り付ける振動体としては、このような配管や空調用ダクトに限られず、例えば、輸送機（貨物列車や自動車、トラックの荷台）、線路を構成するレール（枕木）、高速道路やトンネルの壁面パネル、架橋、ポンプやタービン等の機器等が挙げられる。
【０１３４】
これらの振動体に発生する振動は、目的とする媒体（空調用ダクトの場合、ダクト内を通過する気体等）の移動には不必要な振動であり、騒音や不快な振動を発生させる原因となっている。このような振動体に上記発電装置１を取り付けることにより、この不必要な振動（運動エネルギー）を電気エネルギーとして変換（回生）して得ることができる。
【０１３５】
この得られた電気エネルギーをセンサー、無線装置等の電源に用いて、施設居住空間の照度、温度、湿度、圧力、騒音を計測し、無線装置で検出データを送信して、各種制御信号やモニタリング信号として利用することができる。また、車両の各部の状態を監視するシステム（例えば、タイヤ空気圧センサー、シートベルト着装検知センサー）としても利用することができる。また、このように不必要な振動を電力に変換することで、振動体からの騒音や不快な振動を軽減する効果も得られる。
【０１３６】
なお、発電装置１の発電量は、特に限定されないが、２０〜２０００μＪ程度であるのが好ましい。発電装置１の発電量（発電能力）が上記範囲内であれば、例えば、無線装置と組み合わせることで、上述した住宅照明用無線スイッチや住宅セキュリティー用システム等に有効に利用することができる。
【０１３７】
なお、本実施形態の発電装置１では、平面視において、各磁歪棒２に巻回されたコイル３と梁部材７３とが重ならないように配置されているが、コイル３の一部が梁部材７３と重なる構成であってもよい。具体的には、平面視において、磁歪棒２と梁部材７３とは重ならないが、コイル３の端部と梁部材７３の端部とが重なる構成であってもよい。かかる構成であっても、コイル３の巻回スペースを十分に確保しつつ、コイル３と梁部材７３とが接触しない範囲で、磁歪棒２と梁部材７３との梁間隔を十分に小さくすることができ、上記発電装置１で得られる効果と同様の効果を得ることができる。
【０１３８】
また、本実施形態の発電装置１では、対向する梁として、２つの磁歪棒２、２と１つの梁部材７３とを備えているが、これに限定されず、以下のような構成とすることもできる。
【０１３９】
例えば、連結部が、第１の連結部材および第２の連結部材の長手方向の両端部同士を連結する２つの梁部材を備えるように構成してもよい。かかる構成では、各梁部材が、磁歪棒の外側に配置されているため、コイルの体積を増大させつつも、磁歪棒同士の間隔を小さくして、発電装置の幅方向のサイズを小さくすることができる。なお、かかる構成でも、上述した本実施形態と同様の効果を得ることができる。
【０１４０】
また、発電装置は、２つ以上の磁歪棒と１つ以上の梁部材とを備えた構成をとることができる。なお、磁歪棒および梁部材の総数を変更する場合には、その総数が奇数となるのが好ましい。具体的には、磁歪棒の数：梁部材の数が、２：３、３：２、３：４、４：３、４：５等となる構成が挙げられる。このような構成では、梁として機能する磁歪棒と梁部材とが発電装置の幅方向に対称に配置されるため、磁歪棒、第１および第２のブロック体、連結部にかかる応力のバランスが良好となる。
【０１４１】
なお、このような構成の場合には、梁部材７３のバネ定数をＡ［Ｎ／ｍ］、梁部材７３の数をＸ［本］とし、磁歪棒２のバネ定数をＢ［Ｎ／ｍ］、磁歪棒２の数をＹ［本］としたとき、Ａ×Ｘの値とＢ×Ｙの値とがほぼ等しくなることが好ましい。これにより、第１のブロック体４に対して第２のブロック体５を上下方向へ円滑かつ確実に変位させることができる。
【０１４２】
また、上記の説明では、各雄ネジ４３、５３を各雌ネジ部４１２、５０１に螺合することにより、磁歪棒２の両端部２１、２２と各ブロック体４、５との固定および連結部７と各ブロック体４、５との連結を行っているが、各部材の固定、連結は、上記方法に限定されない。例えば、溶接（レーザー溶接、電気溶接）、ピンの圧入、接着剤による接着等の方法により各部材を固定、連結してもよい。
【０１４３】
＜第２実施形態＞
次に、本発明の発電装置の第２実施形態について説明する。
図１４は、本発明の発電装置の第２実施形態を示す斜視図である。
【０１４４】
なお、以下の説明では、図１４中の上側を「上」または「上方」と言い、図１４中の下側を「下」または「下方」と言う。また、図１４中の紙面右奥側を「先端」と言い、図１４中の紙面左手前側を「基端」と言う。
【０１４５】
以下、第２実施形態の発電装置について、前記第１実施形態の発電装置との相違点を中心に説明し、同様の事項については、その説明を省略する。
【０１４６】
図１４に示す発電装置１は、外周にコイル３が巻回された磁歪棒２および梁部材７３と、これらの基端部同士および先端部同士をそれぞれ連結する連結ヨーク４８および連結ヨーク５８と、磁歪棒２および梁部材７３と併設されたヨーク８２と、連結ヨーク４８とヨーク８２との間および連結ヨーク５８とヨーク８２との間に設けられた２つの永久磁石６とを有している。また、基端側の連結ヨーク４８は、支持部４９に固定され、先端側の連結ヨーク５８は、錘部（質量部）５９に固定されている。
【０１４７】
また、本実施形態の発電装置１では、磁歪棒２と梁部材７３とが厚さ方向に併設されており、第１実施形態の発電装置１と同様に、磁歪棒２と梁部材７３との梁間隔が、基端から先端に向かって小さくなるように構成されている。
【０１４８】
なお、本実施形態の磁歪棒２、コイル３および梁部材７３としては、第１実施形態で前述した各部材を用いることができる。
【０１４９】
連結ヨーク４８は、磁歪棒２の基端部２１および梁部材７３の基端部と連結する。
連結ヨーク４８には、上下２つのスリット４８１、４８２が形成されており、下側のスリット４８１に磁歪棒２の基端部２１が挿入され、上側のスリット４８２に梁部材７３の基端部が挿入されて、ピン４８３により固定される。
この連結ヨーク４８は、その基端側において支持部４９に固定される。
【０１５０】
支持部４９は、平板状をなしており、その先端側の略中央に幅方向に貫通する溝部４９１が形成されている。この溝部４９１に連結ヨーク４８が挿入、固定される。
【０１５１】
本実施形態の発電装置１では、支持部４９の基端を筐体１００に固定することにより、磁歪棒２が、その基端を固定端、先端を可動端として片持ち支持されている。
【０１５２】
連結ヨーク５８は、磁歪棒２の先端部２２および梁部材７３の先端部と連結する。
連結ヨーク５８には、上下２つのスリット５８１、５８２が形成されており、下側のスリット５８１に磁歪棒２の先端部２２が挿入され、上側のスリット５８２に梁部材７３の基端部が挿入されて、ピン５８３により固定される。連結ヨーク５８では、スリット５８１、５８２間の離間距離が、連結ヨーク４８のスリット４８１、４８２間の離間距離よりも短くなっており、これにより、磁歪棒２と梁部材７３との梁間隔が、基端から先端に向かって小さくなっている。
この連結ヨーク５８は、その先端側において錘部５９と固定される。
【０１５３】
錘部５９は、平板状をなしており、その基端側の略中央に幅方向に貫通する溝部５９１が形成されている。この溝部５９１に連結ヨーク５８が挿入、固定される。
【０１５４】
錘部５９は、連結ヨーク５８とともに、磁歪棒２に対して外力や振動を付与する錘として機能する。第２のブロック体５に対して、下方向に外力を付与して、第２のブロック体５を下方に変位させる。その後、外力を取り除くと、第２のブロック体５は上下方向に振動する。これにより、磁歪棒２は、その基端を固定端とし、先端が上下方向に往復動（先端が基端に対して相対的に変位）する。
【０１５５】
なお、各連結ヨーク４８、５８、支持部４９および錘部５９の構成材料は、前記第１実施形態における第１のブロック体４および第２のブロック体５を構成する各種材料と同様の材料を用いることができる。
【０１５６】
ヨーク８２は、長尺の平板状をなしており、磁歪棒２および梁部材７３と幅方向に併設されている。ヨーク８２の構成材料としては、前述した第１実施形態における第１のブロック体４および第２のブロック体５を構成する各種材料と同様の材料を用いることができる。
【０１５７】
永久磁石６は、前記第１実施形態の発電装置１の永久磁石６と同様に、円柱状をなしている。このような永久磁石６の構成材料としては、前述した第１実施形態の永久磁石６と同様の材料を用いることができる。
【０１５８】
本実施形態では、図１４に示すように、連結ヨーク４８とヨーク８２との間に設けられた永久磁石６は、Ｓ極を連結ヨーク４８側に、Ｎ極をヨーク８２側にして配置され、連結ヨーク５８とヨーク８２との間に設けられた永久磁石６は、Ｓ極をヨーク８２側に、Ｎ極を連結ヨーク５８側にして配置されている。これにより、発電装置１には、時計間周りの磁界ループが形成されている。
【０１５９】
本実施形態の発電装置１では、前記第１実施形態の発電装置１と同様に、第２のブロック体５に外力を付与し、その先端を基端に対して変位させて磁歪棒２および梁部材７３を変形させたときに、梁部材７３に蓄積される弾性エネルギーが、磁歪棒２に蓄積される弾性エネルギーよりも大きい。これにより、磁歪棒２および梁部材７３に蓄積された弾性エネルギーが運動エネルギーに変換される際に、梁部材７３が有する運動エネルギーは、磁歪棒２が有する運動エネルギーよりも大きくなる。これにより、梁部材７３によって磁歪棒２が効率良く変形し、その結果、発電装置１の発電効率を向上させることができる。
【０１６０】
また、本実施形態の発電装置１では、側面視において、磁歪棒２と梁部材７３との梁間隔が、基端から先端に向かって小さくなるように構成されている。言い換えれば、磁歪棒２と梁部材７３とが基端から先端にテーパーがかかった梁構造（テーパー梁構造）となっている（図１４参照）。かかる構成では、磁歪棒２と梁部材７３とからなる一対の梁は、基端から先端に向かって変位方向（上下方向）への剛性が低くなる。そのため、錘部５９に外力が付与されると、磁歪棒２および梁部材７３は変位方向（上下方向）に円滑に変位することができ、その結果、磁歪棒２に発生する応力の厚さ方向におけるバラつきを少なくすることができる。これにより、磁歪棒２に一様な応力を生じさせることができ、発電装置１の発電効率をより向上させることができる。
【０１６１】
なお、側面視において、磁歪棒２と梁部材７３とのなす角度（テーパー角度）は、特に限定されないが、０．５〜１０°程度であるのが好ましく、１〜７°程度であるのがより好ましい。磁歪棒２と梁部材７３とのなす角度が上記範囲内であれば、磁歪棒２と梁部材７３とで上記テーパー梁構造を構成しつつも、基端側における磁歪棒２と梁部材７３との梁間隔を十分に小さくすることができる。これにより、磁歪棒２により一様な応力を発生させることができる。
【０１６２】
なお、本実施形態では、コイル３を磁歪棒２に巻回する代わりに、ヨーク８２の外周に巻回する構成にしてもよい。磁歪棒２中の磁束密度の変化に伴い、ヨーク８２を通過する磁束密度も同様に変化するため、上記構成の発電装置１と同様にコイル３に電圧を発生させることができる。また、かかる構成では、各連結ヨーク４８、５８の幅を大きくしたり、各永久磁石の厚さを大きくすることにより、磁歪棒２および梁部材７３とヨーク８２との間隔を大きくすることができるため、コイル体積を大きくすることが可能である。これにより、発電装置１の発電効率をより向上させることができる。
【０１６３】
なお、各部材の固定、連結は、例えば、ネジ止め、ピンの圧入、溶接、接着剤による接着等の方法により各部材同士を固定、連結することができる。
【０１６４】
かかる第２実施形態の発電装置１によっても、前記第１実施形態の発電装置１と同様の作用・効果を生じる。
【０１６５】
以上、本発明の発電装置を図示の実施形態に基づいて説明したが、本発明は、これに限定されるものではなく、各構成は、同様の機能を発揮し得る任意のものと置換することができ、あるいは、任意の構成のものを付加することができる。
例えば、前記第１および第２実施形態の任意の構成を組み合わせることもできる。
【０１６６】
また、２つの永久磁石のうち一方を省略することもでき、永久磁石の一方または双方を電磁石に置き換えることもできる。さらに、本発明の発電装置は、双方の永久磁石を省略し、外部磁場（外部磁界）を用いて発電する構成とすることもできる。
【０１６７】
また、磁歪棒および梁部材は、いずれも、その横断面形状が長方形状をなしているが、例えば、円形状、楕円形状、三角形状、正方形状、六角形状のような多角形状であってもよい。
【０１６８】
また、前記各実施形態の永久磁石は、円柱状をなしているが、平板状、角柱状、三角柱状をなしていてもよい。
【符号の説明】
【０１６９】
１…発電装置  ２…磁歪棒  ２１…基端部  ２２…先端部  ３…コイル  ３１…線材  ４…第１のブロック体  ４１…高背部  ４１１…スリット  ４１２…雌ネジ部  ４２…低背部  ４２１…雌ネジ部  ４２２…溝  ４３…雄ネジ  ４４…雄ネジ  ４８…連結ヨーク  ４８１、４８２…スリット  ４８３…ピン  ４９…支持部  ４９１…溝部  ５…第２のブロック体  ５０１…スリット  ５０２…雌ネジ部  ５３…雄ネジ  ５８…連結ヨーク  ５８１、５８２…スリット  ５８３…ピン  ５９…錘部  ５９１…溝部  ６…永久磁石  ７…連結部  ７１…第１の連結部材  ７１１…貫通孔  ７２…第２の連結部材  ７２１…貫通孔  ７３…梁部材  ８２…ヨーク  １００…筐体
【図１】
2015226346.tif 000003
【図２】
2015226346.tif 000004
【図３】
2015226346.tif 000005
【図４】
2015226346.tif 000006
【図５】
2015226346.tif 000007
【図６】
2015226346.tif 000008
【図７】
2015226346.tif 000009
【図８】
2015226346.tif 000010
【図９】
2015226346.tif 000011
【図１０】
2015226346.tif 000012
【図１１】
2015226346.tif 000013
【図１２】
2015226346.tif 000014
【図１３】
2015226346.tif 000015
【図１４】
2015226346.tif 000016